(57)【要約】【課題】屋根パネルの補強を確実に行うことができるとともに、良好な屋根面の状態を保持することが可能な屋根パネルの補強方法および補強構造を提供することを目的とする。【解決手段】枠体１１と、複数の枠部１２…と、面材１３とを備える既存の屋根パネル１０の上面にレール材１を固定する際に、面材１３Ａを刳り抜き加工することによって開口部１３ｂを形成し、補強体１４を枠部１２…の内周面に沿って固定し、塞ぎ面材１３ｃを、開口部１３ｂに嵌め込んで該開口部１３ｂを閉塞するとともに、補強体１４の上面に載置固定する。これにより、屋根パネルの枠部内の空洞部に補強体を入れて固定することができ、塞ぎ面材によって開口部を閉塞することが可能となる。【選択図】図１
2011058279.tif 000002
【特許請求の範囲】
【請求項１】
縦横の芯材を矩形枠状に組み立てるとともに、この矩形枠の内部に補助芯材を縦横に組み付けて形成された枠体と、この枠体の上面に設けられる面材とを備え、所定角度に傾斜するように配置されて建物の屋根を構成する既存の屋根パネルの補強方法であって、
前記面材を、前記芯材と補助芯材とで形成される枠部の内周面に沿うように刳り抜き加工することによって開口部を形成し、
次に、補強芯材を枠状に組み立ててなる補強体を、この補強体の上面が前記枠体の上面と面一となるようにして前記枠部の内周面に沿って固定し、
次に、前記開口部の開口形状と略等しい外形形状に設定されるとともに、上面が、前記面材の上面と面一になるように設定された塞ぎ面材を、前記開口部に嵌め込んで該開口部を閉塞するとともに、前記補強体の上面に載置固定することを特徴とする屋根パネルの補強方法。
【請求項２】
所定角度に傾斜するように配置されて建物の屋根を構成するとともに、上面に、傾斜方向に沿って長尺なレール材が固定される既存の屋根パネルを補強してなる屋根パネルの補強構造であって、
前記屋根パネルは、縦横の芯材を矩形枠状に組み立てるとともに、この矩形枠の内部に補助芯材を縦横に組み付けて形成された枠体と、
前記芯材と補助芯材とで形成される複数の枠部と、
前記枠体の上面に設けられるとともに野地板となる面材とを備えており、
前記複数の枠部のうち、前記レール材が上方を通過する部分の枠部の内周面に沿って、複数の補強芯材によって枠状に組み立てられるとともに、上面が、前記枠体の上面と面一となる補強体が固定されており、
この補強体を構成する複数の補強芯材のうち、少なくとも１本の補強芯材は、前記レール材の直下に位置するとともに該レール材の延在方向に沿って配置されており、
前記面材は、既存の屋根パネルを構成する既存の面材を、前記レール材が上方を通過する部分のそれぞれの枠部の内周面に沿うように刳り抜き加工することによって形成される開口部を具備する枠状部と、
この開口部の開口形状と略等しい外形形状に設定されるとともに、上面が、前記枠状部の上面と面一になるように設定され、前記開口部に嵌め込まれることで該開口部を閉塞する塞ぎ面材とを有しており、
この塞ぎ面材は、前記補強体の上面に載置固定されていることを特徴とする屋根パネルの補強構造。
【請求項３】
請求項２に記載の屋根パネルの補強構造において、
前記レール材は、前記屋根パネルの面材の上面に、前記屋根パネルの傾斜方向に沿って配置されるとともに前記枠体を構成する縦方向の補助芯材の上方に位置するようにして配置されており、
前記複数の枠部は、前記縦方向の補助芯材の両側に、この縦方向の補助芯材の長さ方向に沿ってそれぞれ並設されており、
前記レール材の直下に位置するとともに該レール材の延在方向に沿って配置される少なくとも１本の補強芯材は、前記縦方向の補助芯材の両側面に固定されていることを特徴とする屋根パネルの補強構造。
【請求項４】
請求項３に記載の屋根パネルの補強構造において、
前記補強体を構成し、前記レール材の直下に位置するとともに該レール材の延在方向に沿って配置される少なくとも１本の補強芯材を含む複数の補強芯材は、それぞれ個別に前記枠部の内周面に沿って固定されていることを特徴とする屋根パネルの補強構造。
【請求項５】
請求項２に記載の屋根パネルの補強構造において、
前記レール材は、前記屋根パネルの面材の上面に、前記屋根パネルの傾斜方向に沿って配置されるとともに前記枠体を構成する縦方向の芯材と補助芯材との間の空洞部の上方に位置するようにして配置されており、
前記レール材の直下に位置するとともに該レール材の延在方向に沿って配置される少なくとも１本の補強芯材は、前記補強体を構成する補強芯材のうち、前記枠体を構成する横方向の芯材および補助芯材に沿ってそれぞれ固定されるとともに互いに対向する横方向の補強芯材間に架設されていることを特徴とする屋根パネルの補強構造。
【請求項６】
請求項５に記載の屋根パネルの補強構造において、
前記レール材の直下に位置するとともに該レール材の延在方向に沿って配置される補強芯材は複数本であり、これら複数本の補強芯材の向かい合う側面同士が互いに接合されていることを特徴とする屋根パネルの補強構造。
【請求項７】
請求項６に記載の屋根パネルの補強構造において、
前記補強体を構成する複数の補強芯材のうち、前記レール材の直下に位置するとともに該レール材の延在方向に沿って配置される複数本の補強芯材を除く複数の補強芯材は、それぞれ個別に前記枠部の内周面に沿って固定されていることを特徴とする屋根パネルの補強構造。
【発明の詳細な説明】
【技術分野】
【０００１】
本発明は、所定角度に傾斜するように配置されて建物の屋根を構成する既存の屋根パネルの補強方法および補強構造に関する。
【背景技術】
【０００２】
プレハブ住宅を施工する方法の一つとして、壁や床、屋根等をパネル化したものを用いて施工するパネル工法が知られている。このパネル工法は、予め工場等において木製の枠材を枠組することにより枠体を形成し、該枠体の少なくとも一面に合板等の面材を貼設することにより床パネル、壁パネル、屋根パネル等を製造し、建築現場にてこれらのパネルを組み付けていくことにより建物を構築する方法である。
このパネル工法により屋根パネルを施工する場合は、壁パネル、床パネル等を組み付けて構築された躯体上の屋根となる部位に、屋根パネルを順序よく敷き込み、躯体に連結している。
【０００３】
ところで、太陽エネルギーを有効利用するため、上述のような屋根パネルで構成された屋根面上に太陽光発電システムを設置する場合がある（例えば、特許文献１参照）。
特許文献１の技術では、長尺なレール材を、棟方向に隣接する屋根パネルのジョイント部に沿って取り付けるとともに、棟方向に隣り合う一対のレール材間に太陽電池モジュールを架設することによって、屋根面上に太陽光発電システムを設置している。
すなわち、棟方向に隣接する屋根パネルのジョイント部が最も支持強度が高いことから、このようにレール材を棟方向に隣り合う屋根パネルのジョイント部に沿って取り付けるようにして屋根面上に太陽光発電システムを設置すれば、複数のレール材や複数の太陽電池モジュールを備え、重量のある太陽光発電システムを十分に支持できる。
【先行技術文献】
【特許文献】
【０００４】
【特許文献１】特開平１０−３３１３６６号公報
【発明の概要】
【発明が解決しようとする課題】
【０００５】
ところが、例えばリフォーム時などに屋根パネルで構成された屋根面上に太陽光発電システムを設置する場合において、太陽光発電システムの荷重を支えるために屋根の補強が必要とされる場合がある。
この場合において屋根面上に補強材を設けることが考えられるが、このようにすると、屋根面上に段差が生じてしまい好ましくない。一方、屋根面下に補強材を設けることも考えられるが、狭い屋根裏空間での作業が要求されることになり好ましくない。
【０００６】
本発明の課題は、屋根パネルの補強を確実に行うことができるとともに、良好な屋根面の状態を保持することが可能な屋根パネルの補強方法および補強構造を提供することを目的とする。
【課題を解決するための手段】
【０００７】
請求項１に記載の発明は、例えば図１〜図９に示すように、縦横の芯材１１ａ，１１ｂ（２１ａ，２１ｂ）を矩形枠状に組み立てるとともに、この矩形枠の内部に補助芯材１１ｃ，１１ｄ（２１ｃ，２１ｄ）を縦横に組み付けて形成された枠体１１（２１）と、この枠体１１（２１）の上面に設けられる面材１３Ａ（２３Ａ）とを備え、所定角度に傾斜するように配置されて建物の屋根を構成する既存の屋根パネル１０（２０）の補強方法であって、
前記面材１３Ａを、芯材１１ａ，１１ｂ（２１ａ，２１ｂ）と補助芯材１１ｃ，１１ｄ（２１ｃ，２１ｄ）とで形成される枠部１２…（２２…）の内周面に沿うように刳り抜き加工することによって開口部１３ｂ（２３ｂ）を形成し、
次に、補強芯材１４ａ，１４ｂ，１４ｃ（２４ａ，２４ｂ，２４ｃ）を枠状に組み立ててなる補強体１４（２４）を、この補強体１４（２４）の上面が前記枠体１１（２１）の上面と面一となるようにして前記枠部１２…（２２…）の内周面に沿って固定し、
次に、前記開口部１３ｂ（２３ｂ）の開口形状と略等しい外形形状に設定されるとともに、上面が、前記面材１３Ａ（２３Ａ）の上面と面一になるように設定された塞ぎ面材１３ｃ（２３ｃ）を、前記開口部１３ｂ（２３ｂ）に嵌め込んで該開口部１３ｂ（２３ｂ）を閉塞するとともに、前記補強体１４（２４）の上面に載置固定することを特徴とする。
【０００８】
請求項１に記載の発明によれば、前記面材１３Ａを、芯材１１ａ，１１ｂ（２１ａ，２１ｂ）と補助芯材１１ｃ，１１ｄ（２１ｃ，２１ｄ）とで形成される枠部１２…（２２…）の内周面に沿うように刳り抜き加工することによって開口部１３ｂ（２３ｂ）を形成することで、この面材１３Ａ（２３Ａ）を枠状に形成することができ、前記枠部１２…（２２…）内の空洞部を上方に開放させることができる。したがって、この開口部１３ｂ（２３ｂ）から前記補強体１４（２４）を、前記空洞部に入れることができる。
そして、このように空洞部に前記補強体１４（２４）を入れることができ、この補強体１４（２４）を、前記枠部１２…（２２…）の内周面に沿って固定するので、この補強体１４（２４）によって前記枠部１２…（２２…）を補強することができ、延いては、屋根パネル１０（２０）を補強することができる。これによって、この屋根パネル１０（２０）上に設置される太陽光発電システムの荷重を確実に支えることができる。
また、前記補強体１４（２４）を、この補強体１４（２４）の上面が前記枠体１１（２１）の上面と面一となるようにして前記枠部１２…（２２…）の内周面に沿って固定し、前記塞ぎ面材１３ｃ（２３ｃ）を、前記開口部１３ｂ（２３ｂ）に嵌め込んで該開口部１３ｂ（２３ｂ）を閉塞するとともに、前記補強体１４（２４）の上面に載置固定するので、この塞ぎ面材１３ｃ（２３ｃ）によって、前記屋根パネル１０（２０）の上面に隙間や段差がない状態で前記開口部１３ｂ（２３ｂ）を閉塞することができ、前記レール材１が固定される屋根面の状態を、補強前の状態と比較しても遜色がない良好なものとすることができる。
【０００９】
請求項２に記載の発明は、例えば図１〜図９に示すように、所定角度に傾斜するように配置されて建物の屋根を構成するとともに、上面に、傾斜方向に沿って長尺なレール材１が固定される既存の屋根パネル１０（２０）を補強してなる屋根パネル１０（２０）の補強構造であって、
前記屋根パネル１０（２０）は、縦横の芯材１１ａ，１１ｂ（２１ａ，２１ｂ）を矩形枠状に組み立てるとともに、この矩形枠の内部に補助芯材１１ｃ，１１ｄ（２１ｃ，２１ｄ）を縦横に組み付けて形成された枠体１１（２１）と、
前記芯材１１ａ，１１ｂ（２１ａ，２１ｂ）と補助芯材１１ｃ，１１ｄ（２１ｃ，２１ｄ）とで形成される複数の枠部１２…（２２…）と、
前記枠体１１（２１）の上面に設けられるとともに野地板となる面材１３（２３）とを備えており、
前記複数の枠部１２…（２２…）のうち、前記レール材１が上方を通過する部分の枠部１２…（２２…）の内周面に沿って、複数の補強芯材１４ａ，１４ｂ，１４ｃ（２４ａ，２４ｂ，２４ｃ）によって枠状に組み立てられるとともに、上面が、前記枠体１１（２１）の上面と面一となる補強体１４（２４）が固定されており、
この補強体１４（２４）を構成する複数の補強芯材１４ａ，１４ｂ，１４ｃ（２４ａ，２４ｂ，２４ｃ）のうち、少なくとも１本の補強芯材１４ａは、前記レール材１の直下に位置するとともに該レール材１の延在方向に沿って配置されており、
前記面材１３（２３）は、既存の屋根パネル１０（２０）を構成する既存の面材１３Ａ（２３Ａ）を、前記レール材１が上方を通過する部分のそれぞれの枠部１２…（２２…）の内周面に沿うように刳り抜き加工することによって形成される開口部１３ｂ（２３ｂ）を具備する枠状部１３ａ（２３ａ）と、
この開口部１３ｂ（２３ｂ）の開口形状と略等しい外形形状に設定されるとともに、上面が、前記枠状部１３ａ（２３ａ）の上面と面一になるように設定され、前記開口部１３ｂ（２３ｂ）に嵌め込まれることで該開口部１３ｂ（２３ｂ）を閉塞する塞ぎ面材１３ｃ（２３ｃ）とを有しており、
この塞ぎ面材１３ｃ（２３ｃ）は、前記補強体１４（２４）の上面に載置固定されていることを特徴とする。
【００１０】
請求項２に記載の発明によれば、前記面材１３（２３）は、既存の屋根パネル１０（２０）を構成する既存の面材１３Ａ（２３Ａ）を刳り抜き加工することによって形成される開口部１３ｂ（２３ｂ）を具備する枠状部１３ａ（２３ａ）を有しているので、前記枠部１２…（２２…）内の空洞部を上方に開放させることができる。したがって、この開口部１３ｂ（２３ｂ）から前記補強体１４（２４）を、前記空洞部に入れることができる。
そして、このように空洞部に前記補強体１４（２４）を入れることができ、この補強体１４（２４）が、前記枠部１２…（２２…）の内周面に沿って固定されるので、この補強体１４（２４）によって前記枠部１２…（２２…）を補強することができ、延いては、屋根パネル１０（２０）を補強することができる。すなわち、前記補強体１４（２４）によって、前記レール材１が上方を通過する部分の枠部１２…（２２…）を確実に補強することができ、特に、前記複数の補強芯材１４ａ，１４ｂ，１４ｃ（２４ａ，２４ｂ，２４ｃ）のうち、少なくとも１本の補強芯材１４ａ（２４ａ）を、前記レール材１の直下において該レール材１の延在方向に沿って配置するので、前記レール材１を屋根パネル１０（２０）上に確実に支持することができ、延いては屋根パネル１０（２０）上に設置される太陽光発電システムの荷重を確実に支えることができる。
また、前記補強体１４（２４）は、上面が、前記枠体１１（２１）の上面と面一となるように固定されており、前記開口部１３ｂ（２３ｂ）には、この開口部１３ｂ（２３ｂ）の開口形状と略等しい外形形状に設定されるとともに、上面が、前記枠状部１３ａ（２３ａ）の上面と面一になるように設定された塞ぎ面材１３ｃ（２３ｃ）が嵌め込まれ、さらに、前記補強体１４（２４）の上面に載置固定されているので、この塞ぎ面材１３ｃ（２３ｃ）によって、前記屋根パネル１０（２０）の上面に隙間や段差がない状態で前記開口部１３ｂ（２３ｂ）を閉塞することができ、前記レール材１が固定される屋根面の状態を、補強前の状態と比較しても遜色がない良好なものとすることができる。
【００１１】
請求項３に記載の発明は、例えば図１〜図４に示すように、請求項２に記載の屋根パネル１０の補強構造において、
前記レール材１は、前記屋根パネル１０の面材１３の上面に、前記屋根パネル１０の傾斜方向に沿って配置されるとともに前記枠体１１を構成する縦方向の補助芯材１１ｃの上方に位置するようにして配置されており、
前記複数の枠部１２…は、前記縦方向の補助芯材１１ｃの両側に、この縦方向の補助芯材１１ｃの長さ方向に沿ってそれぞれ並設されており、
前記レール材１の直下に位置するとともに該レール材１の延在方向に沿って配置される少なくとも１本の補強芯材１４ａは、前記縦方向の補助芯材１１ｃの両側面に固定されていることを特徴とする。
【００１２】
請求項３に記載の発明によれば、前記複数の枠部１２…は、前記縦方向の補助芯材１１ｃの両側に、この縦方向の補助芯材１１ｃの長さ方向に沿ってそれぞれ並設されており、前記レール材１の直下に位置するとともに該レール材１の延在方向に沿って配置される少なくとも１本の補強芯材１４ａは、前記縦方向の補助芯材１１ｃの両側面に固定されているので、前記レール材１を前記縦方向の補助芯材１１ｃの上方に位置するようにして配置する際に、このレール材１を、前記縦方向の補助芯材１１ｃの両側面に固定された補強芯材１４ａの上方にも配置することができる。
これによって、この補強芯材１４ａによって前記レール材１を屋根パネル１０上に、より確実に支持することができ、さらに、例えば止着材等によって、前記レール材１を前記補強芯材１４ａに固定することができる。
【００１３】
請求項４に記載の発明は、例えば図１〜図４に示すように、請求項３に記載の屋根パネル１０の補強構造において、
前記補強体１４を構成し、前記レール材１の直下に位置するとともに該レール材１の延在方向に沿って配置される少なくとも１本の補強芯材１４ａを含む複数の補強芯材１４ａ，１４ｂ，１４ｃは、それぞれ個別に前記枠部１２…の内周面に沿って固定されていることを特徴とする。
【００１４】
請求項４に記載の発明によれば、前記補強体１４を構成し、前記レール材１の直下に位置するとともに該レール材１の延在方向に沿って配置される少なくとも１本の補強芯材１４ａを含む複数の補強芯材１４ａ，１４ｂ，１４ｃは、それぞれ個別に前記枠部１２…の内周面に沿って固定されているので、例えば経年変化した屋根パネル１０であっても、前記複数の補強芯材１４ａ，１４ｂ，１４ｃを前記枠部１２…に対して確実に固定できる。これによって、この補強体１４によって前記枠部１２…、延いては屋根パネル１０を確実に補強することができる。
【００１５】
請求項５に記載の発明は、例えば図５〜図９に示すように、請求項２に記載の屋根パネル２０の補強構造において、
前記レール材１は、前記屋根パネル２０の面材２３の上面に、前記屋根パネル２０の傾斜方向に沿って配置されるとともに前記枠体２１を構成する縦方向の芯材２１ａと補助芯材２１ｃとの間の空洞部の上方に位置するようにして配置されており、
前記レール材１の直下に位置するとともに該レール材１の延在方向に沿って配置される少なくとも１本の補強芯材２４ａは、前記補強体２４を構成する補強芯材２４ａ，２４ｂ，２４ｃのうち、前記枠体２１を構成する横方向の芯材２１ｂおよび補助芯材２１ｄに沿ってそれぞれ固定されるとともに互いに対向する横方向の補強芯材２４ｃ，２４ｃ間に架設されていることを特徴とする。
【００１６】
請求項５に記載の発明によれば、前記レール材１の直下に位置するとともに該レール材１の延在方向に沿って配置される少なくとも１本の補強芯材２４ａは、前記枠体２１を構成する横方向の芯材２１ｂおよび補助芯材２１ｄに沿ってそれぞれ固定されるとともに互いに対向する横方向の補強芯材２４ｃ，２４ｃ間に架設されているので、前記レール材１を、前記枠体２１を構成する縦方向の芯材２１ａと補助芯材２１ｃとの間の空洞部の上方に位置するようにして配置する際に、このレール材１を、前記少なくとも１本の補強芯材２４ａの上方に配置することができる。
これによって、この補強芯材２４ａによって前記レール材１を屋根パネル２０上に、より確実に支持することができ、さらに、例えば止着材等によって、前記レール材１を前記補強芯材２４ａに固定することができる。
【００１７】
請求項６に記載の発明は、例えば図５〜図９に示すように、請求項５に記載の屋根パネル２０の補強構造において、
前記レール材１の直下に位置するとともに該レール材１の延在方向に沿って配置される補強芯材２４ａは複数本であり、これら複数本の補強芯材２４ａ，２４ａの向かい合う側面同士が互いに接合されていることを特徴とする。
【００１８】
請求項６に記載の発明によれば、前記レール材１の直下に位置するとともに該レール材１の延在方向に沿って配置される補強芯材２４ａは複数本であり、これら複数本の補強芯材２４ａ，２４ａの向かい合う側面同士が互いに接合されているので、前記レール材１の直下に位置するとともに該レール材１の延在方向に沿って配置される補強芯材２４ａの強化を図ることができる。
これによって、前記レール材１を、前記枠体２１を構成する縦方向の芯材２１ａと補助芯材２１ｃとの間の空洞部の上方に位置するようにして配置する場合であっても、この補強芯材２４ａ，２４ａによって、前記レール材１をさらに確実に支持することができる。
【００１９】
請求項７に記載の発明は、例えば図５〜図９に示すように、請求項６に記載の屋根パネル２０の補強構造において、
前記補強体２４を構成する複数の補強芯材２４ａ，２４ｂ，２４ｃのうち、前記レール材１の直下に位置するとともに該レール材１の延在方向に沿って配置される複数本の補強芯材２４ａ，２４ａを除く複数の補強芯材２４ｂ，２４ｃは、それぞれ個別に前記枠部２２…の内周面に沿って固定されていることを特徴とする。
【００２０】
請求項７に記載の発明によれば、前記補強体２４を構成する複数の補強芯材２４ａ，２４ｂ，２４ｃのうち、前記レール材１の直下に位置するとともに該レール材１の延在方向に沿って配置される複数本の補強芯材２４ａ，２４ａを除く複数の補強芯材２４ｂ，２４ｃは、それぞれ個別に前記枠部２２…の内周面に沿って固定されているので、例えば経年変化した屋根パネル２０であっても、前記複数の補強芯材２４ｂ，２４ｃを前記枠部２２…に対して確実に固定できる。これによって、この補強体２４によって前記枠部２２…、延いては屋根パネル２０を確実に補強することができる。
【発明の効果】
【００２１】
本発明によれば、屋根パネルを構成する面材を、芯材と補助芯材とで形成される枠部の内周面に沿うように刳り抜き加工することによって開口部を形成することで、この面材を枠状に形成することができ、枠部内の空洞部を上方に開放させることができる。したがって、この開口部から補強体を空洞部に入れることができる。
そして、このように空洞部に補強体を入れることができ、この補強体を、枠部の内周面に沿って固定するので、この補強体によって枠部を補強することができ、延いては、屋根パネルを補強することができる。これによって、この屋根パネル上に設置される太陽光発電システムの荷重を確実に支えることができる。
また、補強体を、この補強体の上面が枠体の上面と面一となるようにして枠部の内周面に沿って固定し、塞ぎ面材を、開口部に嵌め込んで該開口部を閉塞するとともに、補強体の上面に載置固定するので、この塞ぎ面材によって、屋根パネルの上面に隙間や段差がない状態で開口部を閉塞することができ、レール材が固定される屋根面の状態を、補強前の状態と比較しても遜色がない良好なものとすることができる。
【図面の簡単な説明】
【００２２】
【図１】本発明の屋根パネルの補強方法の一例を示しており、施工手順の始めを示す概略図である。
【図２】図１に示す施工手順の後の施工手順を示す概略図である。
【図３】図２に示す施工手順の後の施工手順を示す概略図である。
【図４】本発明の屋根パネルの補強構造の一例を示す断面図である。
【図５】本発明の屋根パネルの補強方法の一例を示しており、施工手順の始めを示す概略図である。
【図６】図５に示す施工手順の後の施工手順を示す概略図である。
【図７】図６に示す施工手順の詳細を示す斜視図である。
【図８】図６に示す施工手順の後の施工手順を示す概略図である。
【図９】本発明の屋根パネルの補強構造の一例を示す断面図である。
【発明を実施するための形態】
【００２３】
以下、図面を参照して本発明の実施の形態について説明する。
なお、以下の実施の形態で説明される建物の屋根は、壁パネル、床パネル等を組み付けて構築された建物躯体上の屋根となる部位に、屋根パネルを、所定角度に傾斜するように、かつ棟方向に沿って複数隣接するようにして順序良く敷き込み、建物躯体に連結することによって構成されている。
また、以下の実施の形態で説明される建物は木造建築であり、この建物の屋根を構成する屋根パネルも木製であるが、鉄骨造等の建物にも適用することができるものとする。
【００２４】
（第１の実施の形態）
図４は本発明の屋根パネルの補強構造の一例を示す断面図である。
図４において符号１はレール材を示す。このレール材１は、屋根の傾斜方向に沿って長尺に形成されており、太陽電池モジュールを屋根上に設置するために用いられるものである。すなわち、図示はしないが、前記レール材１を、屋根面上に、屋根の棟方向に所定の間隔をあけて複数配置し、棟方向に隣り合う一対のレール材１，１間に前記太陽電池モジュールを架設することによって、屋根面上に太陽光発電システムを設置できるようになっている。
【００２５】
そして、このレール材１は、前記太陽電池モジュールの側端部が取り付けられる本体部２と、この本体部２の下部に一体形成されるとともに該本体部２を屋根面上に支持する一対の支持部３，３とから構成されており、この支持部３，３は、屋根面に対して所定角度に傾斜し、レール材１を固定するための止着材４を挿通できる孔部が形成された傾斜部３ａ，３ａを備えている。
【００２６】
これら傾斜部３ａ，３ａの角度は、これら傾斜部３ａ，３ａの孔部に前記止着材４，４を挿通させる際に、この止着材４，４が互いに交差する方向に挿通できるような角度に設定されている。つまり、これら傾斜部３ａ，３ａは、断面視においてハの字となるように設けられている。
【００２７】
また、図４において符号１０は屋根パネルを示す。この屋根パネル１０は、縦横の芯材１１ａ，１１ｂを矩形枠状に組み立てるとともに、この矩形枠の内部に補助芯材１１ｃ，１１ｄを縦横に組み付けて形成された枠体１１と、この枠体１１の前記芯材１１ａ，１１ｂと補助芯材１１ｃ，１１ｄとで形成される複数の枠部１２…と、この枠体１１の上面に設けられるとともに野地板となる面材１３とを備えている。
【００２８】
前記枠体１１は、図１〜図４に示すように、２本の縦芯材１１ａ，１１ａと、２本の横芯材１１ｂ，１１ｂと、前記２本の縦芯材１１ａ，１１ａの中間に、かつ該２本の縦芯材１１ａ，１１ａと平行に設けられる１本の縦方向の補助芯材１１ｃと、前記２本の横芯材１１ｂ，１１ｂの中間に、かつ該２本の横芯材１１ｂ，１１ｂと平行に設けられる１本の横方向の補助芯材１１ｄとによって、平面視略田の字状に形成されている。
【００２９】
前記枠部１２は、前記枠体１１において前記芯材１１ａ，１１ｂと補助芯材１１ｃ，１１ｄとからなる枠状の部分を指しており、これら芯材１１ａ，１１ｂと補助芯材１１ｃ，１１ｄとを除く部分は、空洞部となっている。
この空洞部には、図示はしないが、通常は、グラスウールやロックウール等の断熱材が装填される。
【００３０】
補強前の屋根パネル１０の枠体１１の上面には、図１（ａ）に示すように、既存の面材１３Ａが貼設されている。この既存の面材１３Ａは合板であり、前記縦芯材１１ａと横芯材１１ｂとで組み立てられた矩形枠と縦横の寸法と略等しい寸法に設定されている。
ここで、前記面材１３は、図１（ａ）〜図３（ｂ）に示すように、前記既存の面材１３Ａを、前記レール材１が上方を通過する部分のそれぞれの枠部１２…の内周面に沿うように刳り抜き加工することによって形成される開口部１３ｂを具備する枠状部１３ａと、この開口部１３ｂの開口形状と略等しい外形形状に設定されるとともに、上面が、前記枠状部１３ａの上面と面一になるように設定され、前記開口部１３ｂに嵌め込まれることで該開口部１３ｂを閉塞する塞ぎ面材１３ｃとを有してなる。
【００３１】
なお、本実施の形態において、前記レール材１は、図１（ａ）に示すように、前記屋根パネル１０の面材１３の上面に、前記屋根パネル１０の傾斜方向に沿って配置されるとともに前記枠体１１を構成する縦方向の補助芯材１１ｃの上方に位置するようにして配置されている。
したがって、前記複数の枠部１２…は、図１（ｂ）および図２（ａ）に示すように、前記縦方向の補助芯材１１ｃの両側に、この縦方向の補助芯材１１ｃの長さ方向に沿ってそれぞれ並設されることになる。
これに伴って、前記枠状部１３ａは、前記レール材１が上方を通過する部分の各枠部１２…上面の形状を象るようにして、平面視略田の字状に形成されることになる。
また、前記塞ぎ面材１３ｃの必要枚数は、図３（ａ）に示すように、平面視略田の字状に形成された枠状部１３ａが具備する４つの開口部１３ｂに嵌め込まれるため、４枚となる。
【００３２】
そして、前記複数の枠部１２…には、これら枠部１２…の内周面に沿って、上面が、前記枠体１１の上面と面一となる補強体１４が固定されている。
この補強体１４は、図２および図３に示すように、複数の補強芯材１４ａ，１４ｂ，１４ｃによって枠状に組み立てられている。
【００３３】
また、これら複数の補強芯材１４ａ，１４ｂ，１４ｃのうち、少なくとも１本の補強芯材１４ａは、前記レール材１の直下に位置するとともに該レール材１の延在方向に沿って配置されている。
すなわち、この補強芯材１４ａは、前記縦方向の補助芯材１１ｃの両側面に、この補助芯材１１ｃの長さ方向に沿って固定されている。
【００３４】
また、前記少なくとも１本の補強芯材１４ａを含む複数の補強芯材１４ａ，１４ｂ，１４ｃは、それぞれ個別に前記枠部１２の内周面に沿って固定されている。
これによって、例えば経年変化した屋根パネル１０であっても、前記複数の補強芯材１４ａ，１４ｂ，１４ｃを前記枠部１２…に対して確実に固定できる。
【００３５】
なお、前記複数の補強芯材１４ａ，１４ｂ，１４ｃのうち、前記縦芯材１１ａおよび縦方向の補助芯材１１ｃと平行に設けられる補強芯材１４ａ，１４ｂは、これら補強芯材１４ａ，１４ｂが固定される部分の枠部１２の内周面の長さと略等しい長さに設定されている。一方、これら補強芯材１４ａ，１４ｂと直交し、これら補強芯材１４ａ，１４ｂの両側端部間に架設されるようにして配置される補強芯材１４ｃ，１４ｃは、補強芯材１４ａ，１４ｂの両側端部間の間隔と略等しい長さに設定されている。
【００３６】
また、これら補強芯材１４ａ，１４ｂ，１４ｃの固定は、接着剤および止着材１５によって行われている。
つまり、前記補強芯材１４ａ，１４ｂ，１４ｃと、前記芯材１１ａ，１１ｂおよび補助芯材１１ｃ，１１ｄとがそれぞれ当接する当接面に接着剤を塗布してから、これら補強芯材１４ａ，１４ｂ，１４ｃと、前記芯材１１ａ，１１ｂおよび補助芯材１１ｃ，１１ｄとを当接させ、その後、止着材１５を打ち込んで、これら補強芯材１４ａ，１４ｂ，１４ｃと、前記芯材１１ａ，１１ｂおよび補助芯材１１ｃ，１１ｄとを強固に固定するというものである。
【００３７】
そして、前記塞ぎ面材１３ｃは、以上のようにして前記複数の枠部１２…の内周面にそれぞれ固定された補強体１４の上面に、前記開口部１３ｂに嵌め込まれることで該開口部１３ｂを閉塞しながら載置され、接着剤および止着材１５によって固定されている。
この時、前記塞ぎ面材１３ｃは、上述のように前記開口部１３ｂの開口形状と略等しい外形形状に設定されるとともに、上面が、前記枠状部１３ａの上面と面一になるように設定されているので、この塞ぎ面材１３ｃと前記枠状部１３ａとの間に隙間や段差が生じないようにすることができる。
【００３８】
次に、上述した既存の屋根パネル１０の上面に、前記レール材１を固定する際の補強方法について説明する。
まず、前記レール材１を固定する位置を決定する。本実施の形態では、前記レール材１は、図１（ａ）に示すように、前記縦方向の補助芯材１１ｃの長さ方向に沿って設けられる。したがって、前記レール材１の下方で、かつ前記縦方向の補助芯材１１ｃの長さ方向に沿うようにして補強芯材１４ａを入れるよう判断することができる。
【００３９】
続いて、図１（ｂ），（ｃ）に示すように、前記既存の面材１３Ａを、前記レール材１が上方を通過する部分のそれぞれの枠部１２…の内周面に沿うように刳り抜き加工することによって開口部１３ｂを形成する。
そして、前記既存の面材１３Ａを加工して、前記枠部１２…の上面の形状を象るようにして残された部分が枠状部１３ａとされている。
したがって、この枠状部１３ａは、前記既存の面材１３Ａを、前記レール材１が上方を通過する部分のそれぞれの枠部１２…の内周面に沿うように刳り抜き加工することによって形成される開口部１３ｂを具備するので、この枠状部１３ａの形状は、前記枠部１２の形状に適合するものとなる。
【００４０】
続いて、図２（ａ），（ｂ）に示すように、前記複数の枠部１２…内に、前記複数の補強芯材１４ａ，１４ｂ，１４ｃによって構成される補強体１４を組み込む。
まず、前記縦方向の補助芯材１１ｃの両側面に、前記レール材１の直下に位置するとともに該レール材１の延在方向に沿って配置される補強芯材１４ａを固定する。また、前記縦芯材１１ａの側面に、前記補強芯材１４ｂを固定する。
そして、前記補強芯材１４ｃ，１４ｃを、これら補強芯材１４ａと補強芯材１４ｂの両側端部間に架設するとともに、前記横芯材１１ｂおよび横方向の補助芯材１１ｄの側面に固定する。
【００４１】
なお、これら複数の補強芯材１４ａ，１４ｂ，１４ｃを固定するには、まず、これら複数の補強芯材１４ａ，１４ｂ，１４ｃの側面と、それぞれ固定される芯材１１ａ，１１ｂおよび補助芯材１１ｃ，１１ｄの側面との間に接着剤を塗布するとともに、側面同士を接着する。その後、止着材１５によって、さらに固定するという方法をとる。
【００４２】
続いて、図３（ａ），（ｂ）に示すように、前記塞ぎ面材１３ｃを、前記開口部１３ｂに嵌め込み該開口部１３ｂを閉塞しながら、前記補強体１４の上面に載置する。
この時、前記塞ぎ面材１３ｃと補強体１４とが当接する面に接着剤を塗布しておき、このように塞ぎ面材１３ｃを補強体１４の上面に載置する際に、これら塞ぎ面材１３ｃと補強体１４とを接着する。
その後、止着材１５によって前記塞ぎ面材１３ｃと補強体１４とを、さらに固定する。
【００４３】
以上のようにして、前記屋根パネル１０の補強を行うことができる。
そして、このような屋根パネル１０の上面に前記レール材１を固定する前に、予め透湿防水シート１３ｄを敷設して、雨仕舞を向上させておく。
その後、前記レール材１を、前記縦方向の補助芯材１１ｃの長さ方向に沿って配置してから、図４に示すように、このレール材１の傾斜部３ａから止着材４を挿入し、この止着材４を前記縦方向の補助芯材１１ｃの両側面に固定された補強芯材１４ａ，１４ａに止めつけることによって、前記レール材１を屋根パネル１０の上面に固定することができる。
【００４４】
本実施の形態によれば、前記面材１３Ａのうちの前記レール材１が上方を通過する部分のそれぞれに、この面材１３Ａを刳り抜き加工することによって開口部１３ｂを形成することで、この面材１３Ａを枠状に形成することができ（枠状部１３ａ）、前記枠部１２…内の空洞部を上方に開放させることができる。したがって、この開口部１３ｂから前記補強体１４を、前記空洞部に入れることができる。
そして、このように空洞部に前記補強体１４を入れることができ、この補強体１４を、前記枠部１２…の内周面に沿って固定するので、この補強体１４によって前記枠部１２…を補強することができ、延いては、屋根パネル１０を補強することができる。すなわち、前記補強体１４によって、前記レール材１が上方を通過する部分の枠部１２…を確実に補強することができ、特に、前記複数の補強芯材１４ａ，１４ｂ，１４ｃのうち、少なくとも１本の補強芯材１４ａを、前記レール材１の直下において該レール材１の延在方向に沿って配置するので、前記レール材１を屋根パネル１０に確実に支持固定でき、延いては太陽光発電システムを屋根上に確実に支持することができる。
また、前記補強体１４を、この補強体１４の上面が前記枠体１１の上面と面一となるようにして前記枠部１２…の内周面に沿って固定し、前記塞ぎ面材１３ｃを、前記開口部１３ｂに嵌め込んで該開口部１３ｂを閉塞するとともに、前記補強体１４の上面に載置固定するので、この塞ぎ面材１３ｃによって、前記屋根パネル１０の上面に隙間や段差がない状態で前記開口部１３ｂを閉塞することができ、前記レール材１が固定される屋根面の状態を、補強前の状態と比較しても遜色がない良好なものとすることができる。
【００４５】
また、前記複数の枠部１２…は、前記縦方向の補助芯材１１ｃの両側に、この縦方向の補助芯材１１ｃの長さ方向に沿ってそれぞれ並設されており、前記レール材１の直下に位置するとともに該レール材１の延在方向に沿って配置される少なくとも１本の補強芯材１４ａは、前記縦方向の補助芯材１１ｃの両側面に固定されているので、前記レール材１を前記縦方向の補助芯材１１ｃの上方に位置するようにして配置する際に、このレール材１を、前記縦方向の補助芯材１１ｃの両側面に固定された補強芯材１４ａの上方にも配置することができる。
これによって、この補強芯材１４ａによって前記レール材１を屋根パネル１０上に、より確実に支持することができ、さらに、例えば止着材等によって、前記レール材１を前記補強芯材１４ａに固定することができる。
【００４６】
また、前記補強体１４を構成し、前記レール材１の直下に位置するとともに該レール材１の延在方向に沿って配置される少なくとも１本の補強芯材１４ａを含む複数の補強芯材１４ａ，１４ｂ，１４ｃは、それぞれ個別に前記枠部１２…の内周面に沿って固定されているので、例えば経年変化した屋根パネル１０であっても、前記複数の補強芯材１４ａ，１４ｂ，１４ｃを前記枠部１２…に対して確実に固定できる。これによって、この補強体１４によって前記枠部１２…、延いては屋根パネル１０を確実に補強することができる。
【００４７】
（第２の実施の形態）
次に、図面を参照して本発明の第２の実施の形態について説明する。なお、説明の便宜上、上述した第１の実施の形態とは異なる構成部分のみについて説明する。
【００４８】
図４は本発明の屋根パネルの補強構造の一例を示す断面図である。
図４において符号１はレール材を示しており、符号２０は屋根パネルを示している。この屋根パネル２０は、第１の実施の形態の屋根パネル１０と同様の構成となっており、縦横の芯材２１ａ，２１ｂと、縦横の補助芯材２１ｃ，２１ｄとからなる平面視略田の字状の枠体２１と、この枠体２１の前記芯材２１ａ，２１ｂと補助芯材２１ｃ，２１ｄとで形成される複数の枠部２２…と、この枠体２１の上面に設けられるとともに野地板となる面材２３とを備えている。
また、前記枠部２２は、前記枠体２１において前記芯材２１ａ，２１ｂと補助芯材２１ｃ，２１ｄとからなる枠状の部分を指しており、これら芯材２１ａ，２１ｂと補助芯材２１ｃ，２１ｄとを除く部分は、空洞部となっている。
【００４９】
補強前の屋根パネル２０の枠体２１の上面には、図５（ａ）に示すように、既存の面材２３Ａが貼設されている。
ここで、前記面材２３は、図５（ａ）〜図８（ｂ）に示すように、前記既存の面材２３Ａを、前記レール材１が上方を通過する部分のそれぞれの枠部２２…の内周面に沿うように刳り抜き加工することによって形成される開口部２３ｂを具備する枠状部２３ａと、この開口部２３ｂの開口形状と略等しい外形形状に設定されるとともに、上面が、前記枠状部２３ａの上面と面一になるように設定され、前記開口部２３ｂに嵌め込まれることで該開口部２３ｂを閉塞する塞ぎ面材２３ｃとを有してなる。
また、前記枠状部２３ａは、前記既存の面材２３Ａを、前記レール材１が上方を通過する部分のそれぞれの枠部２２…の内周面に沿うように刳り抜き加工することによって形成される開口部２３ｂを具備するので、この枠状部２３ａの形状は、前記枠部２２の形状に適合するものとなる。
【００５０】
なお、本実施の形態において、前記レール材１は、図５（ａ）に示すように、前記屋根パネル２０の面材２３の上面に、前記屋根パネル２０の傾斜方向に沿って配置されるとともに前記枠体２１を構成する縦方向の芯材２１ａと補助芯材２１ｃとの間の空洞部の上方に位置するようにして配置されている。
したがって、前記枠状部２３ａは、前記既存の面材２３Ａのうち、縦方向の芯材２１ａと補助芯材２１ｃとの間の空洞部に対応する部分に開口部２３ｂを形成した形で構成されることになる。本実施の形態では開口部２３ｂは、屋根パネル２０の右半分で、傾斜方向に沿って隣り合うようにして２つ形成されている。これに伴って、前記塞ぎ面材２３ｃの必要枚数２枚となる。
【００５１】
また、前記レール材１が上方を通過する枠部２２は、屋根パネルの右半分に位置する２つの枠部２２，２２が該当することになる。
そして、前記これら枠部２２，２２には、これら枠部２２，２２の内周面に沿って、上面が、前記枠体２１の上面と面一となる補強体２４が固定されている。
【００５２】
この補強体２４は、図６（ａ），（ｂ）に示すように、前記縦芯材２１ａと縦方向の補助芯材１１ｃとに固定される２本の縦方向の補強芯材２４ｂ，２４ｂと、これら縦方向の補強芯材２４ｂ，２４ｂの両側端部間に架設されるとともに、前記横芯材２１ｂおよび横方向の補助芯材２１ｄの側面に固定される２本の横方向の補強芯材２４ｃ，２４ｃと、これら横方向の補強芯材２４ｃ，２４ｃ間に架設される少なくとも１本の補強芯材２４ａとを備えている。
【００５３】
この補強芯材２４ａは、前記レール材１の直下に位置するとともに該レール材１の延在方向に沿って配置されるものであり、本実施の形態においては、図６〜図８に示すように、２本用いられている。
すなわち、同じ大きさおよび形状の２本の補強芯材２４ａ，２４ａの向かい合う側面同士を互いに接合したものが用いられている。
また、これら２本の補強芯材２４ａ，２４ａは、前記２本の縦方向の補強芯材２４ｂ，２４ｂの中間に、かつ該２本の縦方向の補強芯材２４ｂ，２４ｂと平行して設けられている。
【００５４】
これら２本の補強芯材２４ａ，２４ａを前記横方向の補強芯材２４ｃ，２４ｃ間に架設する際は、図７に示すように、これら横方向の補強芯材２４ｃ，２４ｃの長さ方向中央の上部に溝部２６を形成するとともに、この溝部２６に合わせて、前記２本の補強芯材２４ａ，２４ａの両端部に突出部２７を形成して、これら溝部２６と突出部２７とが噛み合うような構成としておく。
【００５５】
なお、前記溝部２６および突出２７は、これら溝部２６と突出部２７とを噛み合わせた際に、前記２本の補強芯材２４ａ，２４ａの上面および下面と、前記横方向の補強芯材２４ｃ，２４ｃの上面および下面とが、それぞれ面一となるように形成されている。
【００５６】
また、前記２本の補強芯材２４ａ，２４ａを除く複数の補強芯材２４ｂ，２４ｃは、それぞれ個別に前記枠部２２，２２の内周面に沿って固定されている。
これによって、例えば経年変化した屋根パネル２０であっても、前記複数の補強芯材２４ｂ，２４ｃを前記枠部２２，２２に対して確実に固定できる。
【００５７】
なお、前記縦芯材２１ａおよび縦方向の補助芯材２１ｃと平行に設けられる２本の縦方向の補強芯材２４ｂ，２４ｂは、これら補強芯材２４ｂ，２４ｂが固定される部分の枠部２２の内周面の長さと略等しい長さに設定されている。一方、これら補強芯材２４ｂ，２４ｂと直交し、これら補強芯材２４ｂ，２４ｂの両側端部間に架設されるようにして配置される２本の横方向の補強芯材２４ｃ，２４ｃは、前記２本の縦方向の補強芯材２４ｂ，２４ｂの両側端部間の間隔と略等しい長さに設定されている。
また、前記２本の補強芯材２４ａ，２４ａは、前記突出部２７，２７を含んだ状態で、前記２本の縦方向の補強芯材２４ｂ，２４ｂと等しい長さに設定されている。
【００５８】
また、これら補強芯材２４ａ，２４ｂ，２４ｃの固定は、第１の実施の形態と同様に、接着剤と止着材２５とによって行われる。
さらに、前記溝部２６と突出部２７との固定も接着剤と止着材２５とを用いて行われている。すなわち、前記溝部２６と、前記突出部２７とがそれぞれ当接する当接面に接着剤を塗布してから、これら溝部２６と突出部２７とを当接させ、その後、止着材２５を打ち込んで、前記補強芯材２４ａと補強芯材２４ｃとを強固に固定するというものである。
なお、前記止着材２５を設ける際は、図７に示すように、前記補強芯材２４ａ，２４ａの外側面から、互いに交差する方向に向かって斜めに設けられている。
【００５９】
そして、前記塞ぎ面材２３ｃは、以上のようにして前記複数の枠部２２，２２の内周面にそれぞれ固定された補強体２４の上面に、前記開口部２３ｂに嵌め込まれることで該開口部２３ｂを閉塞しながら載置され、接着剤および止着材２５によって固定されている。
この時、前記塞ぎ面材２３ｃは、上述のように前記開口部２３ｂの開口形状と略等しい外形形状に設定されるとともに、上面が、前記枠状部２３ａの上面と面一になるように設定されているので、この塞ぎ面材２３ｃと前記枠状部２３ａとの間に隙間や段差が生じないようにすることができる。
【００６０】
次に、上述した既存の屋根パネル２０の上面に、前記レール材１を固定する際の補強方法について説明する。
まず、前記レール材１を固定する位置を決定する。本実施の形態では、前記レール材１は、図５（ａ）に示すように、前記縦芯材２１ａと縦方向の補助芯材２１ｃとの中間に、かつ該縦芯材２１ａおよび縦方向の補助芯材２１ｃと平行して設けられる。したがって、このレール材１の下方で、かつ前記縦芯材２１ａと縦方向の補助芯材２１ｃとの中間に、かつ該縦芯材２１ａおよび縦方向の補助芯材２１ｃと平行するようにして補強芯材２４ａを入れるよう判断することができる。
【００６１】
続いて、図５（ｂ），（ｃ）に示すように、前記既存の面材２３Ａを、前記レール材１が上方を通過する部分のそれぞれの枠部２２，２２の内周面に沿うように刳り抜き加工することによって開口部２３ｂを形成する。
そして、前記既存の面材２３Ａを加工して、前記枠部２２，２２の上面の形状を象るようにして残された部分が枠状部２３ａとされている。
【００６２】
続いて、図６（ａ），（ｂ）に示すように、前記複数の枠部２２，２２内に、前記複数の補強芯材２４ａ，２４ｂ，２４ｃによって構成される補強体２４を組み込む。
まず、前記縦芯材２１ａの内側面と、この縦芯材２１ａの内側面に対向する前記縦方向の補助芯材２１ｃの内側面とに、前記補強芯材２４ｂ，２４ｂをそれぞれ固定する。
そして、前記横方向の補強芯材２４ｃ，２４ｃを、これら縦方向の補強芯材２４ｂ，２４ｂの両側端部間に架設するとともに、前記横芯材２１ｂおよび横方向の補助芯材２１ｄの内側面に固定する。
【００６３】
なお、これら複数の補強芯材２４ｂ，２４ｃを固定するには、まず、これら複数の補強芯材２４ｂ，２４ｃの側面と、それぞれ固定される芯材２１ａ，２１ｂおよび補助芯材２１ｃ，２１ｄの側面との間に接着剤を塗布するとともに、側面同士を接着する。その後、止着材２５によって、さらに固定するという方法をとる。
【００６４】
また、予め、前記横方向の補強芯材２４ｃ，２４ｃの長さ方向中央には、前記溝部２６を形成しておく。さらに、前記補強芯材２４ａ，２４ａの両端部にも前記突出部２７を形成しておくようにする。
そして、図７に示すように、前記溝部２６と突出部２７とを噛み合わせるようにして、前記レール材の直下に設けられる補強芯材２４ａ，２４ａを、前記横方向の補強芯材２４ｃ，２４ｃに架設し、接着剤および止着材２５によって固定する。
【００６５】
続いて、図８（ａ），（ｂ）に示すように、前記塞ぎ面材２３ｃを、前記開口部２３ｂに嵌め込み該開口部２３ｂを閉塞しながら、前記補強体２４の上面に載置する。
この時、前記塞ぎ面材２３ｃと補強体２４とが当接する面に接着剤を塗布しておき、このように塞ぎ面材２３ｃを補強体２４の上面に載置する際に、これら塞ぎ面材２３ｃと補強体２４とを接着する。
その後、止着材２５によって前記塞ぎ面材２３ｃと補強体２４とを、さらに固定する。
【００６６】
以上のようにして、前記屋根パネル２０の補強を行うことができる。
そして、このような屋根パネル２０の上面に前記レール材１を固定する前に、予め透湿防水シート２３ｄを敷設して、雨仕舞を向上させておく。
その後、前記レール材１を、前記屋根パネル２０の長さ方向に沿って、かつ前記枠体２１を構成する縦方向の芯材２１ａと補助芯材２１ｃとの間の空洞部の上方に配置してから、図９に示すように、このレール材１の傾斜部３ａから止着材４を挿入し、この止着材４を前記補強芯材２４ａ，２４ａに止めつけることによって、前記レール材１を屋根パネル２０の上面に固定することができる。
【００６７】
本実施の形態によれば、前記レール材１の直下に位置するとともに該レール材１の延在方向に沿って配置される補強芯材２４ａ，２４ａは、前記枠体２１を構成する横方向の芯材２１ｂおよび補助芯材２１ｄに沿ってそれぞれ固定されるとともに互いに対向する横方向の補強芯材２４ｃ，２４ｃ間に架設されているので、前記レール材１を、前記枠体２１を構成する縦方向の芯材２１ａと補助芯材２１ｃとの間の空洞部の上方に位置するようにして配置する際に、このレール材１を、前記補強芯材２４ａ，２４ａの上方に配置することができる。
これによって、この補強芯材２４ａ，２４ａによって前記レール材１を屋根パネル２０上に、より確実に支持することができ、さらに、例えば止着材等によって、前記レール材１を前記補強芯材２４ａ，２４ａに固定することができる。
【００６８】
また、前記レール材１の直下に位置するとともに該レール材１の延在方向に沿って配置される補強芯材２４ａは２本であり、これら２本の補強芯材２４ａ，２４ａの向かい合う側面同士が互いに接合されているので、前記レール材１の直下に位置するとともに該レール材１の延在方向に沿って配置される補強芯材２４ａの強化を図ることができる。
これによって、前記レール材１を、前記枠体２１を構成する縦方向の芯材２１ａと補助芯材２１ｃとの間の空洞部の上方に位置するようにして配置する場合であっても、この補強芯材２４ａ，２４ａによって、前記レール材１をさらに確実に支持することができる。
【００６９】
また、前記補強体２４を構成する複数の補強芯材２４ａ，２４ｂ，２４ｃのうち、前記レール材１の直下に位置するとともに該レール材１の延在方向に沿って配置される２本の補強芯材２４ａ，２４ａを除く複数の補強芯材２４ｂ，２４ｃは、それぞれ個別に前記枠部２２，２２の内周面に沿って固定されているので、例えば経年変化した屋根パネル２０であっても、前記複数の補強芯材２４ｂ，２４ｃを前記枠部２２，２２に対して確実に固定できる。これによって、この補強体２４によって前記枠部２２，２２、延いては屋根パネル２０を確実に補強することができる。
【符号の説明】
【００７０】
１  レール材
１０  屋根パネル
１１  枠体
１２  枠部
１３  面材
１３ａ  枠状部
１３ｂ  開口部
１３ｃ  塞ぎ面材
１４  補強体
１４ａ  補強芯材
２０  屋根パネル
２１  枠体
２２  枠部
２３  面材
２３ａ  枠状部
２３ｂ  開口部
２３ｃ  塞ぎ面材
２４  補強体
２４ａ  補強芯材
【図１】
2011058279.tif 000003
【図２】
2011058279.tif 000004
【図３】
2011058279.tif 000005
【図４】
2011058279.tif 000006
【図５】
2011058279.tif 000007
【図６】
2011058279.tif 000008
【図７】
2011058279.tif 000009
【図８】
2011058279.tif 000010
【図９】
2011058279.tif 000011